(57)【特許請求の範囲】
【請求項１】
無線通信装置と、コンピュータ用キーボードおよびコンピュータ用表示装置と、コンピュータ・モジュールとを有し、上記無線通信装置は、第１の細長いケーシングに収容され、上記コンピュータ・モジュールは、第２の細長いケーシングに収容され、第１および第２のケーシングは、互いに旋回可能に長手方向を軸としてヒンジ連結されていて、折り畳んだ状態におけるそれぞれの内向き表面は互いに接近し、その一方の内向き表面に上記コンピュータ用キーボードが、他方の内向き表面に上記コンピュータ用表示装置がそれぞれ配置され、上記第１のケーシングの外側には上記無線通信装置を制御するための通信装置用キーボードを備えており、上記第１のケーシングまたは第２のケーシングにはマイクロフォンとスピーカとを配置し、アンテナを備えた形式のコンピュータ・モジュールを内蔵した無線携帯電話機において、
上記第１のケーシングの内向き表面にコンピュータ用表示装置を配置し、外向き表面に通信装置用表示装置を配置し、上記マイクロフォンは該ケーシングの外側または内側に向けることができることを特徴とするコンピュータ・モジュールを内蔵した無線携帯電話機。
【請求項２】
通信装置用キーボードは、行と列とに配列され、一方が第１のケーシングの長手方向に、他方がその直交方向に延びていることを特徴とする請求の範囲第１項に記載のコンピュータ・モジュールを内蔵した無線携帯電話機。
【請求項３】
第２のケーシングに接して、および（または）第２のケーシング内部に電源モジュールを配置したことを特徴とする請求の範囲第１項に記載のコンピュータ・モジュールを内蔵した無線携帯電話機。
【請求項４】
電源モジュールを内蔵する第３のケーシングをコンピュータ・モジュールを内蔵する第２のケーシングの外側に接して配置するとともに、上記第２のケーシングと第３のケーシングとを接合して一体化したことを特徴とする請求の範囲第３項に記載のコンピュータ・モジュールを内蔵した無線携帯電話機。
【請求項５】
電源モジュールに蓄電池を備えたことを特徴とする請求の範囲第３項または４項に記載のコンピュータ・モジュールを内蔵した無線携帯電話機。
【請求項６】
電源モジュール、データ記憶モジュール、ラジオ・チューナモジュール、テレビ・チューナモジュール、フレキシブルディスク駆動機構モジュール、ハードディスク駆動機構モジュール、チップカード読取器、または磁気カード読取器、ＰＣＭＣＩＡメモリカード挿入部、並列および（または）直列インターフェース、および（または）その他のインターフェース用のインターフェース接続部を備えたことを特徴とする請求の範囲第１〜５項のいずれか１項に記載のコンピュータ・モジュールを内蔵した無線携帯電話機。
【請求項７】
蝶番内に固定式、または可動式のアンテナを内蔵したことを特徴とする請求の範囲第１〜６項のいずれか１項に記載のコンピュータ・モジュールを内蔵した無線携帯電話機。
【請求項８】
アンテナをケーシング内に完全に内蔵したことを特徴とする請求の範囲第１項に記載のコンピュータ・モジュールを内蔵した無線携帯電話機。
【請求項９】
コンピュータ・モジュールが、通話を可能とする通話ボタン、および（または）スピーカのボリューム調整用のつまみを備えたことを特徴とする請求の範囲第１〜７項のいずれか１項に記載のコンピュータ・モジュールを内蔵した無線携帯電話機。
【請求項１０】
コンピュータ用キーボードおよびコンピュータ用表示装置を通信装置の制御と調整用に使用可能であることを特徴とする請求の範囲第１〜９項のいずれか１項に記載のコンピュータ・モジュールを内蔵した無線携帯電話機。
【請求項１１】
コンピュータ用表示装置が接触感知式の平坦画面であることを特徴とする請求の範囲第１〜１０項のいずれか１項に記載のコンピュータ・モジュールを内蔵した無線携帯電話機。
【請求項１２】
コンピュータ用キーボードの配列行およびコンピュータ用表示装置の配列行が、それぞれ第１および第２の細長いケーシングの長手方向に配列されたことを特徴とする請求の範囲第１〜１１項のいずれか１項に記載のコンピュータ・モジュールを内蔵した無線携帯電話機。
【発明の詳細な説明】
本発明は独立クレームのプレアンブルに記載のコンピュータ・モジュールを備えた携帯電話機として形成された携帯用コンピュータおよび通信装置に関する。
このような種類の携帯用コンピュータおよび通信装置は特に移動電話並びにファックス通信の作成と送信、並びにオンライン・サーバへのアクセス用に、および更に可動式コンピュータとして使用される。
最小限のサイズで継続的な個人利用のために携帯できる携帯式移動電話（携帯電話としては“ハンディ”と呼ばれる場合が多い）並びに卓上コンピュータ、データバンクおよび電子手帳としての多数の小型機器が公知である。テキスト並びに図形画面を備えたパーソナル・コンピュータはいわゆるラップトップ並びに電子手帳として公知であるが、それでも依然としてほぼＤＩＮ  Ａ４規格のサイズと相当の重さがある。
欧州特許明細書第０  ４７２  ３６１  Ｂ１号から、コンピュータと移動電話とが同一のケーシング構造に集積された、冒頭に述べた種類の携帯式コンピュータおよび通信装置が公知である。このケーシングは更にコンピュータと移動電話の双方を操作するためのキーボード部分を含んでいる。更に、ケーシングには画面表示を開閉式に覆う上げ蓋が回転式に取り付けられており、この上げ蓋は折り畳んだ状態で装置を携帯電話として操作するために表示部分の他にキーボードのキーの少なくとも幾つかに同時にアクセスできるように構成されている。ケーシングの長手方向側には携帯電話に属するマイクロフォンとスピーカとが備えられている。
欧州特許明細書第０  ４７２  ３６１  Ｂ１号で公開されている通信装置の欠点は、電話キーボードおよびマイクロフォンと、スピーカの構造が別の態様であるため、この機器を携帯電話の種類の公知の移動電話のようには使用できないことにある。この機器では特に携帯電話の種類の移動電話では普通である通信装置のような片手操作ができないが、それは、機器を先ず横軸を支点に９０°回転させ、引き続いて縦軸を支点にこれも９０°回転させなければならないからである。
この機器は更に機能範囲を拡張することができず、予備電源モジュールの形式の、動作期間を延ばすための別の電力容量を備えることもできない。
ドイツ特許明細書第４１  ０８  １６９  Ａ１号から、移動通信装置としてコンピュータ機能とデータ通信とを組合わせた無線電話動作が可能な電話機が公知である。
選択的に携帯可能、および自動車に取り付け可能であり、キーボード付きのＰＣ、および放送もしくは自動車電話送受信装置を搭載した機器は、ラップトップの種類のものは前面に配置された画面を備えた上げ蓋を有している。上げ蓋の裏側には電話送受器用の保持器が配置されている。この送受器は上げ蓋の側部から突起している。上げ蓋をパタンと閉じた状態では（ＰＣＴキーボードが上げ蓋によって覆われた状態）、送受器を取るためにこれに自由に届き、上面に配置されたダイアル−および操作キーを操作できる。上げ蓋を斜め後方に開けた場合（ＰＣキーボードは開放される）、上げ蓋の裏面に保持されている送受器の通話および受話器は画面の観察者の方を向いており、観察者に対する音響経路が妨げられない。
この方法の欠点は、携帯電話として利用するように設計されておらず、そのように使用することもできないことである。これは完全に別個の機器（電話送受器とラップトップ）を組合わせたものである。その上、送受器の突起部によって機器は衝撃負荷、特に落とした場合に脆弱である。
本発明の目的は、会話、データ、テキストおよび（または）図形を送受信し、ならびにこのようなデータ、テキストおよび（または）図形の作成と処理に適した、すなわち携帯電話の機能と、コンピュータの機能とを単一の機器に内蔵した携帯式のコンピュータおよび通信装置を製造することにある。更に、本発明の携帯式コンピュータおよび通信装置は補足的な用途にも開かれ、拡張されるものである。
上記の目的は、特徴記載部の特徴を備えた請求の範囲第１項のプレアンブルに記載のコンピュータ・モジュールを搭載した電話送受器として構成された携帯式コンピュータおよび通信装置によって達成される。
コンピュータおよび通信装置を異なる２つのモジュール内に構成することによって、双方のモジュールまたは個々の構成部品を別個に開発したり、すでに開発されているモジュール、または構成部品、例えば通信装置を僅かな改修によって使用することが可能になる。それによって開発および製造コストが大幅に低減する。更に、本発明に基づく電話機をファクシミリ通信器、モデム、電話機、もしくはコンピュータとして使用する場合、並びに全体を複合した用途に使用する場合、本発明に基づく携帯式コンピュータおよび通信装置のユーザに最大限のフレキシビリティが与えられ、更に最も簡単な操作で最大限簡便に使用することができる。例えば通信文の作成に使用されるプログラムからファクシミリ通信の作成と送信が行われる場合のように、ユーザは選択的に双方のモジュールの機能を別個に、また同時に利用することができる。
それでも、通信装置の通話キーボードが対応する通信装置の外側に配置されているので、ユーザは本発明の電話機を折り畳んだ状態でも常に通信装置を使用することができる。それによって、従来の携帯電話の操作性と、通信装置と組合わせたパーソナル・コンピュータの機能性とが得られる。
コンピュータと通信装置とを異なるモジュールに分離し、かつそれぞれに割当てられたキーボード並びに画面を配置することによって、コンピュータと通信装置との間に備えるデータ線を最小限にすることが可能になる。それによって製造コストが低減し、コンピュータと通信装置とのデータ伝送の故障や欠陥が生じる可能性が最小限になる。
本発明に基づく携帯式コンピュータおよび通信装置のその他の有利な構成は従属クレームに記載されている。
通信装置を格納するモジュールにコンピュータ用表示装置を設置すると、従来型の電子手帳に対応するコンピュータ用キーボードとコンピュータ用表示装置との配置が達成される。それによって、本発明に基づくコンピュータの特に人間工学的な動作態様が可能である。
折り畳んだ状態に閉じたとき、少なくとも２つのケーシングからなる電話機の外向き表面が(凸出部なしに)平坦であれば、特に携帯電話機として使用する場合の操作性が著しく高まり、同時にコンピュータ用キーボードとコンピュータ用表示装置とが汚れから防止される。その他、コンピュータ用表示装置は手動操作による損傷から有効に防護される。
本発明に基づく電話機は、例えば補助的な電源モジュール、データ記憶モジュール、フレキシブルディスク駆動機構モジュール、ラジオ・チューナ、テレビ・チューナ、チップカード読取器、磁気カード読取器、ＰＣＭＣＩＡ挿入部、またはその他の通信装置、例えば既存の通信装置のオプションとして搭載可能な拡張装備として、将来の衛星移動放送のような補足的な移動通信装置を備えたモジュールによって随意に拡張される。電源モジュールとしての電源装置はコンピュータ・モジュール外部に別個のモジュールとして設置することができ、または例えばコンピュータ・モジュール内部に蓄電池として内蔵することができる。
少なくとも２つのケーシングを有する本発明電話機の表裏いずれかの外向き表面にマイクロフォンとスピーカを配置し、これらを通信装置と連結した場合は、本電話機を前述の、携帯電話機能の特徴を備えた移動電話として使用することができる。マイクロフォンとスピーカとを通信装置の外側、すなわち通信装置のキーボードと表示装置を備えた平面に格納する構造では、操作上の前述の機能的な利点、および製造コストの低減が得られる。マイクロフォンとスピーカとを電話機の裏側、すなわちコンピュータを含むモジュールの外側に配置した場合は、所定の据付けスペースの活用、および通信装置を含むモジュールのデザインに関して利点が得られる。
本発明に基づく電話機の上げ蓋を開け拡げた状態で、コンピュータとしても、携帯電話としての通信装置としても同時に使用できるように、ハンズフリー通話への切り替えを可能にするスイッチを補助的に備えることが特に有利である。それによって更に、コンピュータのアドレス・メモリから直接ダイアルして電話接続を行うために、コンピュータ内に備えられたアドレス帳機能を簡単に利用することができる。
次に本発明の幾つかの有利な実施例を説明する。
本発明に基づく電話機のサイズはほぼ縦長の書類入れの大きさである。基本バージョンは互いに結合された３つのケーシングからなっている。最上層に配置された第１のケーシングは通信装置を含んでおり、その外向きの側には通信装置を制御するためのキーボード、すなわち電話キーボードと、電話用表示画面と、送受器としてのマイクロフォンと、スピーカとを備えている。その下に配置された第２のケーシングはコンピュータ・モジュールと、例えば挿入カード様式のカード、磁気カード、またはＰＣＭＣＩＡ規格のメモリカード用の挿入部を含んでいる。最上層、およびその下に配置された第１および第２のケーシングは蝶番によって互いにヒンジ連結されている。本発明に基づく電話機は更に給電用の蓄電池として形成されたもう１つのモジュールを内蔵する第３のケーシングも備えている。本発明に基づく電話機は更に、可動式に、すなわち最上層とその下に配置された第１および第２のケーシングを結合する蝶番の軸に出し入れ可能に配置され、もしくは前記蝶番の一部をなすアンテナを有している。コンピュータ・モジュールを含む第２のケーシングは更に、スピーカのボリュームを調整するためのつまみと、受話ボタンとしての機能を果たすボタンとを有している。
本発明に基づく電話機を開いた状態では、上方に開いた第１のケーシングは内向き面にコンピュータ用表示装置を備え、第１のケーシングに蝶番により連結された、第２のケーシングは、第１のケーシングに隣接してコンピュータ用キーボードを備えている。コンピュータ用キーボード並びにコンピュータ用表示装置の表示画面は、行が本発明に基づく電話機の長手方向に沿って延びるように行列式に配列されている。
本発明に基づく電話機の端面には、例えば直列インターフェースまたは並列インターフェース、もしくは赤外線インターフェースを介して別のコンピュータとデータ交換するための、単数または複数のインターフェース接続部が設けられている。本発明に基づく電話機のモジュール構造によって、補助電源モジュール、メモリ・モジュールまたはコンピュータの補助機能用の集積カードを備えたその他のモジュールの拡張が簡単に可能である。更に、ラジオまたはテレビ受信のような機能を搭載することもできる。コンピュータ用表示装置はＬＣＤモニタ、またはこれに匹敵する薄い構造のディスプレーからなり、補助機能または命令キーを実現し、かつユーザを案内するためのいわゆる“タッチスクリーン”として接触感知式に実施することもできる。命令キーは勿論、ディスプレーの対応画面の他に、機械的に操作される素子としても設置されている。
本発明に基づく電話機は折り畳んだ状態で従来形の携帯電話機として使用することができる。あるいは、コンピュータ用表示装置並びにコンピュータ用キーボードが行毎に配置されているから、通常のコンピュータとしての使用が可能である。通信装置とコンピュータとのデータ交換を行い、例えばコンピュータ内に記憶された電話番号に自動的にダイアルすることができる。更に、コンピュータのプログラムを用いて作成されたファクシミリ通信文を、通信装置を介して直接送信することができる。更に、コンピュータを用いて、通信装置を介して適当なサーバに直接オンライン接続することも可能である。
前述のような構造と類似した構造の本発明に基づく電話機は、電源モジュールの代わりにコンピュータ・モジュール内蔵のケーシング（第２のケーシング）内に組込まれた例えば蓄電池のような蓄電装置を備えている。それによって、コンピュータおよび通信装置の個々の部品の構造が特にコンパクトかつ便利になる。蓄電装置をコンピュータ・モジュールのケーシングによって完全に囲み、隠すこともできる。
本発明に基づく電話機の１実施例では、マイクロフォンとスピーカとはコンピュータ・モジュールの外向きの側にあり、一方、本発明に基づいて通信装置は最上層の第１のケーシング内に内蔵されている。上層の双方のケーシング内部で活用できるスペースに応じて、マイクロフォンとスピーカとを、通信装置を含むケーシング内に格納するか、このケーシングに隣接配置されたコンピュータを含むケーシング内に格納するかのいずれかにすることができる。
前述のようにこの場合も通信装置を含む第１のケーシングと、コンピュータ・モジュールを含む第２のケーシングとからなる本発明の別の実施例は、例えば蓄電池のような電源装置を備えたもう１つのケーシングを含んでいる。前述の装置を補足するため、別の実施例では例えばメモリ・チップからなる補助メモリを含む事ができる補助モジュールによって拡張されている。しかし、補助モジュールはコンピュータおよび通信装置の動作寿命を著しく伸ばすことができる別の蓄電装置からなっていてもよい。
別の実施例では、上層の第１のケーシングに、第１のケーシングの外側（第１のケーシングと第２のケーシングとを閉じて合わせたときも外部から見える面側）にも内側（第１のケーシングと第２のケーシングとを閉じて合わせたとき向き合って外部から見えない面側）にも向けることのできるマイクロフォンを含んでいる。この両側に向けることのできるマイクロフォンにより、一方では本発明に基づく電話機を折り畳んだ状態で、外側を向いたマイクロフォンを使ってこの電話機を従来形の携帯電話として利用することができ、一方、開け拡げた状態では、スイッチを操作することにより切り替えて、第１のケーシングの内側に向いたマイクロフォンによっていわゆるハンズフリーで通話することができる。第１のケーシングの内側を向いたマイクロフォンによって、通話の録音も可能である。その場合、第１のケーシングのスピーカを電話動作モードでの受話器としてのみならず、コンピュータ動作モードでのスピーカとしても使用することができる。そのボリュームはボリューム調整器によって変えることができる。
本発明に基づく電話機の別の実施例では、折り畳んだ状態で、最上層の第１のケーシングの外向きの面は電話用キーボードと、例えば呼出し番号、または呼び出している機能、もしくは操作面を示すディスプレーとを備えた従来形の携帯電話の外見を呈している。
本発明に基づく電話機には音声ジャックが備えられていて、この音声ジャックにヘッドフォン、もしくはイヤフォン、または適宜のスピーカが接続可能である。イン／アウトを組合わせた音声ジャックを用いるならば、マイクロフォン／ヘッドフォンを複合した音声装置を接続することができる。
前述の実施例の全てで、アンテナは引出し可能である。通信装置を使用していない場合は、アンテナをこれを収納している蝶番に長手方向の軸に沿ってロック可能に押し込むことができる。アンテナを完全に電話機ケーシング内に完全に引っ込んだ状態でも送信、受信が可能であるので、外部アンテナは不要である。